(57)【要約】【課題】対面式キッチン台を設けたマンションの専有住戸において、台所の両側から居間・食事室に移動することができ、開放感と採光性に優れ、かつ、当該台所からバルコニーへも移動することのできる台所構造を提供する。【解決手段】台所１と居間・食事室２との間に、対面式キッチン台３を、その外壁５側である一方側端部３ａを外壁５から充分に離して配置し、台所１の一方側および他方側の両方に、居間・食事室２へ自在に移動できる開放通路部４を形成する。また、外壁５の、対面式キッチン台３の一方側端部３ａに対向する部分に、開閉戸７を備えた開口部６を設け、開口部６の室外側にバルコニー８を設ける。【選択図】        図１
0003107967.tif 000002
【実用新案登録請求の範囲】
【請求項１】
マンションの対面式キッチン台（３）を設けた専有住戸の台所構造であって、台所（１）と居間・食事室（２）との間に，前記対面式キッチン台を，その外壁（５）側である一方側端部（３ａ）を前記外壁から充分に離して配置し、前記台所の一方側および他方側の両方に，前記居間・食事室へ自在に移動できる開放通路部（４）を形成してなるマンションの専有住戸の台所構造。
【請求項２】
マンションの対面式キッチン台（３）を設けた専有住戸の台所構造であって、台所（１）と居間・食事室（２）との間に，前記対面式キッチン台を，その外壁（５）側である一方側端部（３ａ）を前記外壁から充分に離して配置し、前記台所の一方側および他方側の両方に，前記居間・食事室へ自在に移動できる開放通路部（４）を形成し、前記外壁の，前記対面式キッチン台の一方側端部に対向する部分に，開閉戸（７）を備えた開口部（６）を設け、前記開口部の室外側にバルコニー（８）を設けてなるマンションの専有住戸の台所構造。
【考案の詳細な説明】
【技術分野】
【０００１】
本考案は、マンションの対面式キッチン台を設けた専有住戸において、台所の両側端部から居間・食事室に移動することができ、かつ、当該台所からバルコニーへも移動可能な台所構造に関するものである。
【背景技術】
【０００２】
従来、マンションの専有住戸において、対面式キッチン台を設けた台所は、その一方側（例えば南側）が外壁によって閉鎖されており、従って、台所から居間・食事室への移動は、他方側（例えば北側）からのみに限られている。
【考案の開示】
【考案が解決しようとする課題】
【０００３】
そのため、台所から、居間・食事室の北側部分への移動は迅速に行うことができるが、南側部分へ移動する場合には、大きく迂回する必要があり、不便である。また、その逆に、居間・食事室の南側部分から台所へ移動するにも同様に大きく迂回する必要があり、不便である。台所で家事を行う主婦などにとっては、当該台所を中心にして、居間・食事室へ迅速に移動することができれば便利である。
【０００４】
また、従来の台所構造では、その一方側が外壁によって閉鎖されているので、開放感に欠け、採光の点でも改善の余地がある。さらに、台所で事故などが発生した場合、バルコニーに避難することができれば安全上、好ましい。
【０００５】
本考案はこうした問題に鑑み創案されたもので、対面式キッチン台を設けたマンションの専有住戸において、台所の両側から居間・食事室に移動することができ、開放感と採光性に優れ、かつ、当該台所からバルコニーへも移動することのできる台所構造を提供することを課題とする。
【課題を解決するための手段】
【０００６】
図１および図２を参照して説明する。請求項１に記載の考案は、マンションの対面式キッチン台３を設けた専有住戸の台所構造であって、台所１と居間・食事室２との間に、前記対面式キッチン台３を、その外壁５側である一方側端部３ａを前記外壁５から充分に離して配置し、前記台所１の一方側および他方側の両方に、前記居間・食事室２へ自在に移動できる開放通路部４を形成してなるものである。
【０００７】
請求項２に記載の考案は、マンションの対面式キッチン台３を設けた専有住戸の台所構造であって、台所１と居間・食事室２との間に、前記対面式キッチン台３を、その外壁５側である一方側端部３ａを前記外壁５から充分に離して配置し、前記台所１の一方側および他方側の両方に、前記居間・食事室２へ自在に移動できる開放通路部４を形成し、前記外壁５の、前記対面式キッチン台３の一方側端部３ａに対向する部分に、開閉戸７を備えた開口部６を設け、前記開口部６の室外側にバルコニー８を設けてなるものである。
【考案の効果】
【０００８】
請求項１に記載の考案に係るマンションの専有住戸の台所構造は、台所１と居間・食事室２との間に、対面式キッチン台３を、その外壁５側である一方側端部３ａを前記外壁５から充分に離して配置し、台所１の一方側および他方側の両方に、居間・食事室２へ自在に移動できる開放通路部４を形成したので、台所１を中心として、居間・食事室２への移動をその両側から行うことができる。従って、生活の利便性が大きく向上する。
【０００９】
請求項２に記載の考案に係るマンションの専有住戸の台所構造は、請求項１に記載の考案と同様に、台所１の一方側および他方側の両方に開放通路部４を形成したので、台所１を中心として、その両側から居間・食事室２へ容易に移動することができ、生活の利便性が向上する。
【００１０】
また、外壁５の、対面式キッチン台３の一方側端部３ａに対向する部分に、開閉戸７を備えた開口部６を設け、その開口部６の室外側にバルコニー８を設けたので、台所１に開放感を持たせることができる。また、この開口部６から自然光を採り入れることができるので、採光性に優れる。さらに、台所１で事故などが発生した場合には、この開口部６からバルコニー８にも避難することができるので、安全性にも優れる。
【００１１】
また、この開口部６は開閉戸７によって開閉するものであるため、回動式のドアと異なり、開放通路部４が狭い場合であっても、円滑に開閉することができる。また、開放した状態でも、開放通路部４を占拠して人の通行を阻害することがない。
【考案を実施するための最良の形態】
【００１２】
本考案に係るマンションの専有住戸の台所構造の実施形態を、図１および図２に示す。これは、マンションの対面式キッチン台３を設けた専有住戸の台所構造である。台所１と居間・食事室２との間には、対面式キッチン台３を、その外壁５側である一方側端部３ａを当該外壁５から、人が余裕を持って通行することができる程度に充分に離して配置している。また、対面式キッチン台３の他方側端部３ｂにも、同様に、内壁９から充分に離している。これにより、台所１の一方側および他方側の両方に、居間・食事室２へ自在に移動できる開放通路部４を形成している。
【００１３】
また、外壁５の、対面式キッチン台３の一方側端部３ａに対向する部分に、引き違い型の開閉戸７を備えた開口部６を設け、その開口部６の室外側にはバルコニー８を設けている。
【００１４】
なお、本実施形態における開口部６は、人が自在に通ることのできる大きさに設定しているが、本考案はこれに限定されず、通常の窓程度の大きさに設定することもできる。
【００１５】
こうした構造の本実施形態に係るマンションの専有住戸の台所構造は、台所１の一方側および他方側の両方に形成した開放通路部４から、居間・食事室２へ自在に移動することができるので、きわめて便利である。従って、生活の利便性が大きく向上する。
【００１６】
また、外壁５に設けた開口部６によって、台所１に開放感を与えることができる。さらに、この開口部６から採り入れる自然光によって台所１を明るくすることができる。また、台所１で事故などが発生した場合には、この開口部６からバルコニー８にも避難することができ、安全性にも優れる。なお、本実施形態における開閉戸７は、その全面に窓ガラスを張って、開放感と採光性のさらなる向上を図っている。
【００１７】
またさらに、この開口部６は開閉戸７を備えているので、開放通路部４の広い狭いに関わらず、当該開閉戸７を対面式キッチン台３に干渉させることなく円滑に開閉することができる。また、開放した状態でも、開放通路部４を占拠して人の通行を阻害するといった問題が発生しない。なお、開閉戸７は、引違い戸に代え、開き戸でもよい。
【図面の簡単な説明】
【００１８】
【図１】本考案に係るマンションの専有住戸の台所構造の実施形態を示す平面図である。
【図２】図２に示す台所構造のＡ矢視図である。
【符号の説明】
【００１９】
１      台所
２      居間・食事室
３      対面式キッチン台
３ａ    一方側端部
３ｂ    他方側端部
４      開放通路部
５      外壁
６      開口部
７      開閉戸
７ａ    窓ガラス
８      バルコニー
９      内壁
１０    居室
１１    廊下
Ｄ      ドア
【図１】
0003107967.tif 000003
【図２】
0003107967.tif 000004